(57)【要約】【課題】ロールを備える装置において、ロール表面を傷つけることなく、ロールの回転中にロール表面に付着した異物及び汚れを取り除くロール清掃装置を提供する。【解決手段】ロール表面に付着した異物や汚れを清掃する装置であって、搬送手段としてのロール軸に平行に設置されたガイドレールと、製造手段としてのロール表面に付着した異物及び汚れを取り除くための清掃リングと拭き取りリングとを備えているロール清掃装置である。清掃リング及び拭き取りリングは、右方向又は左方向に回転し、且つ前記ガイドレールに沿って移動可能となるように支持され、清掃リング及び拭取リングは前記ロールに対してＴＤ（幅）方向に移動することで、ロールの回転中にロール表面に付着した異物及び汚れを取り除く。【選択図】図１
2016019936.tif 000002
【特許請求の範囲】
【請求項１】
ロール表面に付着した異物や汚れを清掃する装置であって、
搬送手段としてのロール軸に平行に設置されたガイドレールと、清掃手段としてのロール表面に付着した異物及び汚れを取り除くための清掃リング及び拭き取りリングとを備えており、前記清掃リング及び拭き取りリングは、右方向又は左方向に回転し、且つ前記ガイドレールに沿って移動可能となるように支持され、前記ロールに対してＴＤ方向に移動することを特徴とするロール清掃装置。
【請求項２】
前記清掃リング及び拭き取りリングは、フェルトの不織布であることを特徴とする請求項１に記載のロール清掃装置。
【発明の詳細な説明】
【技術分野】
【０００１】
本発明は、ロールの清掃装置に関し、更に詳しくはロール表面を傷つけることなく、ロールの回転中にロール表面に付着した異物及び汚れを取り除くロール清掃装置に関する。
【背景技術】
【０００２】
ロールは多様な分野に用いられており、精密機械や真空装置など多方面で用いられている。そして、これらのロールは、用途により運転中にその表面に汚れが付着する場合がある。この異物及び汚れは、しばしば前記ロールに接して通過する製品に汚点を付ける。特に、真空装置では前記ロールの表面に異物及び汚れが付着してしまった場合、真空度に影響してしまい、工業的に有効ではない。
特許文献1には、製品に支障を来すことなく、機械の運転中にロール表面の清掃が自動的に且つ確実になされるための清掃装置を提供することを目的としており、ロール表面に流体を吹き付ける吹付部と、同吹付部に対向して設置される吸入部で構成し、ロール上の異物を離脱させて吹き飛ばすと共に、吸入口から吸入させて、同異物を流体と共に機外に排出する方法が提案されている。しかし、特許文献１では、前記吹付部で吹き付けた前記流体がロール上に残り、機外に排出したはずの前記流体が周囲のロール表面に排出してしまい、確実に除去することができないという問題がある。
特許文献２には、上下の回転ロールの周面に付いた付着物を簡単にかつ確実に除去することのできるシート状に構成された清掃用具を提供することを目的としており、長尺状金属製薄板の少なくとも一端側に、ワークを挟持する少なくとも上下一対の回転ロールを備えたロールフィーダ、レベラーまたはレベラーフィーダのワーク入り口に設けられたサイドガイドロールに掛止するための掛止孔を設けるとともに前記長尺状金属製薄板の表裏両面に不織布その他の布地を接着により一体化する方法が提案されている。しかし、特許文献２では、前記長尺状金属製薄板の表裏両面に不織布その他の布地でロール表面の付着物を取り除いているが、やはりロール表面に付着した汚れを確実に除去することができないという問題がある。
【先行技術文献】
【特許文献】
【０００３】
【特許文献１】特開平６−１９９４１０号公報
【特許文献２】特開２００５−６６４６９号公報
【発明の概要】
【発明が解決しようとする課題】
【０００４】
本発明の目的は、ロールを備える装置において、ロール表面を傷つけることなく、ロールの回転中にロール表面に付着した異物及び汚れを取り除くロール清掃装置を提供することである。
【課題を解決するための手段】
【０００５】
本発明者は、前記課題を解決するために、鋭意検討した結果、ロール清掃装置を以下の構成とすることで、ロール回転中にロール表面に付着した異物や汚れをより確実に除去することができることを見出し、本発明を完成するに至った。
すなわち、本発明の第１の発明は、
ロール表面に付着した異物や汚れを清掃する装置であって、
搬送手段としてのロール軸に平行に設置されたガイドレールと、清掃手段としてのロール表面に付着した異物及び汚れを取り除くための清掃リングと拭き取りリングとを備えており、清掃リング及び拭き取りリングは、右方向又は左方向に回転し、且つガイドレールに沿って移動可能となるように支持され、ロールに対してＴＤ方向に移動するロール清掃装置である。
【０００６】
また、本発明の第２の発明は、清掃リング及び拭き取りリングは、フェルトの不織布であるロール清掃装置である。
【発明の効果】
【０００７】
本発明によれば、ロール表面を傷つけることなく、ロールの回転中にロール表面に付着した異物及び汚れを取り除くことができ、清掃リングと拭取リングとがロール表面に密着し、清掃リングによる磨き残しがほとんど無く、また、拭取リングによる拭き取り残しもほとんど無くなり、確実にロール表面に付着した異物及び汚れを取り除くため、ロールの清掃に要す時間を著しく短縮できる。また、ロール清掃手段を備えていない機械に対して使用できることは勿論、ロール清掃手段を備えた機械にも併用して使用できるので、従来の煩雑な清掃作業を著しく短縮・省略することができ、工業的な意義は大きいといえる。
【０００８】
本発明のロール清掃装置の構成を図１から図４にて概要を示す。
【図面の簡単な説明】
【０００９】
【図１】本発明に係る一例のローラー清掃装置の簡略説明図
【図２】本発明に係る一例の搬送手段の簡略説明図
【図３】本発明に係る一例の清掃手段の簡略説明図
【図４】本発明のロールＡと清掃部移動の説明図
【発明を実施するための形態】
【００１０】
本発明のロール清掃装置とその清掃装置を使用する清掃方法について詳細に説明する。
１）ロール清掃装置
本発明のロール清掃装置１はロール表面を傷つけることなく、ロールの回転中にロール表面に付着した異物及び汚れを取り除くロール清掃装置及びロールの清掃方法を具体化した装置である。
ロール清掃装置１の概略を説明する。本発明のロール清掃装置１は、搬送手段と清掃手段とを備えている。具体的には、ガイドレールが備わっている搬送手段と、ロールを表面に付着した異物及び汚れを取り除く清掃手段とを備えている。
【００１１】
ロール清掃装置１は、清掃リング及び拭取リングをロール表面に密着させ、該清掃リング及び拭取リングが回転し、且つ、ロール自体が回転しながらガイドレールで左右に搬送させるので、ロール表面の磨き残しを防止することができる。また、清掃リング及び拭取リングをロール表面に密着させるので、異物だけでなく、汚れも確実に除去することができる。
図１は本発明のロールの効率の良い清掃を実現するロール清掃装置１の正面概略図である。図２はロール清掃装置１のガイドレールの端から端に搬送させる手段の正面概略図である。図３はロール表面を傷つけることなく、ガイドレールで搬送させながら清掃リング及び拭取リングを備えた清掃手段の側面概略図である。
２）ロール清掃方法
次に、本発明のロール清掃装置によるロール表面に付着した異物や汚れを清掃する清掃方法を説明する。
ロール清掃装置１の清掃手順としては、まず初めに、掴み３を掴み、横型に設置されているロール前面にカバー１を設置する。
清掃リング及び拭取リング５に研磨剤を塗布し、清掃部を取付部のガイドレール４に設置する。清掃部を奥まで動かし、ロールに密着させる。ロールに密着させた清掃部のハンドル６を時計回りに回転させながら清掃部はロールのＴＤ（幅）方向、ロールはＭＤ（長手）方向に清掃部と同じ速度で図４に示すように回転し、ガイドレール４始点Ａからガイドレール４終点Ｂまで連続して移動する。清掃部がガイドレール４終点Ｂまで移動すると、ロールに密着させた清掃部のハンドル６が反時計回りに逆回転しながらガイドレール４始点Ａまで移動し、ガイドレール４始点Ａからガイドレール４終点Ｂまでの移動を繰り返す。目視でロール表面全域に研磨剤が塗布されていれば、ロールと清掃部の回転を停止させ、清掃部を手前に動かしロール、ガイドレール４の順に離す。
次に、清掃部の清掃リング及び拭取リング５を新しいリングに交換し、清掃部を取付部のガイドレール４に設置する。清掃部を奥まで動かし、ロールに密着させる。ロールに密着させた清掃部のハンドル６を時計回りに回転させながら、清掃部はロールのＴＤ（幅）方向、ロールはＭＤ（長手）方向に清掃部と同じ速度で回転し、ガイドレール４始点Ａからガイドレール４終点Ｂまで連続して移動する。清掃部がガイドレール４終点Ｂまで移動すると、ロールに密着させた清掃部のハンドル６が反時計回りに逆回転しながらガイドレール４始点Ａまで移動し、ガイドレール４始点Ａからガイドレール４終点Ｂまでの移動を繰り返す。目視でロールＡ表面全域に研磨剤が拭き取られていれば、ロールと清掃部の回転を停止させ、清掃部を手前に動かしロール、ガイドレール４の順に離す。
【００１２】
このように本発明のロール清掃装置１は、清掃リング及び拭取リング５でロール表面に密着させ、該清掃リング及び拭取リング５がロールのＴＤ（幅）方向、ロールはＭＤ（長手）方向に清掃部と同じ速度で回転し、ガイドレール４始点Ａからガイドレール４終点Ｂまで連続して移動することで、ロール表面の磨き残しをなくすことができ、ロール表面の汚れを確実に除去することができる。
３）搬送手段
次に、搬送手段を説明する。図２は搬送手段の概略図である。清掃リング及び拭取リング５を装着した清掃部をガイドレール４に設置し、ハンドル６を奥まで移動させ清掃リング及び拭取リング５をロールに密着させ、清掃部のハンドル６を時計回りに回転させながら、清掃部はロールのＴＤ（幅）方向、ロールはＭＤ（長手）方向に清掃部と同じ速度で図４に示すように回転し、ガイドレール４始点Ａからガイドレール４終点Ｂまで移動する。    清掃部のハンドル６を時計回りに回転させながら、清掃部はロールのＴＤ（幅）方向、ロールはＭＤ（長手）方向に清掃部と同じ速度で回転することによって、ロール表面全域を清掃することができ、ロール表面の磨き残しを防止することができる。
４）ロール清掃手段
次に、ロール清掃手段を説明する。図３は清掃手段の概略図である。清掃リング及び拭取リング５には、ロール本体の材料として一般的に使用されるステンレス、アルミニウム、貴金属や真鍮などの金属材料に対して傷つかないものを使用する。例えば、フェルトなどの不織布が好適に使用できる。
５）ロール清掃方法
本発明のロール清掃装置１を用いたロールの清掃方法の一例として、ロール清掃方法を具体的にステップ１からステップ１８として具体的に示す。
（ステップ１）最初にカバー１を設置し、
（ステップ２）清掃部の清掃リング及び拭取リング５に研磨剤を塗布し、
（ステップ３）清掃部を取付部のガイドレール４に設置し、
（ステップ４）清掃部を奥まで動かしロールに密着させ、
（ステップ５）時計回りに回転させながら清掃部はロールのＴＤ（幅）方向、ロールはＭＤ（長手）方向に清掃部と同じ速度で回転し、
（ステップ６）ガイドレール４始点Ａからガイドレール４終点Ｂまでを移動し、清掃部がガイドレール４終点Ｂまで移動すると、ロールに密着させた清掃部のハンドル６が反時計回りに回転しながらガイドレール４始点Ａまで移動し、
（ステップ７）ロール表面に研磨剤が全域に渡っていればロールと清掃部の回転を停止させ、
（ステップ８）清掃部を手前にロールから動かし、
（ステップ９）清掃部をガイドレール４から切り離し、
（ステップ１０）清掃リング及び拭取リング５を交換し、
（ステップ１１）清掃部を取付部のガイドレール４に設置し、
（ステップ１２）清掃部を奥まで動かしロールに密着させ、
（ステップ１３）時計回りに回転させながら清掃部はロールのＴＤ（幅）方向、ロールはＭＤ（長手）方向に清掃部と同じ速度で回転し、
（ステップ１４）ガイドレール４始点Ａからガイドレール４終点Ｂまで移動し、清掃部がガイドレール４終点Ｂまで移動すると、ロールに密着させた清掃部のハンドル６が反時計回りに回転しながらガイドレール４始点Ａまで移動し、
（ステップ１５）ロール表面の研磨剤が完全に拭取られていればロールと清掃部の回転を停止させ、
（ステップ１６）清掃部を手前にロールから動かし、
（ステップ１７）清掃部をガイドレール４から切り離し、
（ステップ１８）カバー１を取り外す。
【００１３】
以上のとおり、ステップ１から始まりステップ１８まで順次進めることで、ロールを確実に清掃することができる。
本発明の清掃装置１は、清掃リング及び拭取リング５でロール表面に密着させ、該清掃リング及び拭取リング５が回転し、且つ、ロール自体が回転しながらガイドレール４で左右に搬送させるので、ロール表面の磨き残しを防止することができる。また、ロール表面に密着させるので、異物だけでなく、汚れも確実に除去することができる。
【００１４】
６）研磨剤
本発明で使用する研磨剤はロール表面に汚れを付着させたり、ロール本体を傷つけない材料を選択する必要がある。そのため一般に使用されるロールの中でもステンレスなどの金属製品に転写しにくいものを選択するのが好ましい。例えば、酸化クロムやアルミナの微粉をステアリン酸や数種の界面活性剤で棒状あるいはブロック状に固めたバフ研磨に用いられる研磨剤などが挙げられる。
【符号の説明】
【００１５】
１  カバー
２  ストッパー
３  掴み
４  ガイドレール
５  清掃リング及び拭取リング
６  ハンドル
Ａ  ロール
【図１】
2016019936.tif 000003
【図２】
2016019936.tif 000004
【図３】
2016019936.tif 000005
【図４】
2016019936.tif 000006